(57)【要約】【課題】  一つの書見台で新聞等の大面積の印刷物から辞書等の大冊の書籍まで対応可能とする。【解決手段】  台板１の表面である書籍載置面の裏面に支持軸５を配置し、この支持軸５にページ保持具４Ａ、４Ｂが配置される。ページ保持具４Ａ、４Ｂは支持軸５に挿通されかつ支持軸５に沿って移動可能なリール４ａとこのリール４ａに巻き戻るよう付勢された板巻きばね４ｂと、台板１を越えて台板１の表面に至った板巻きばね４ｂの先端に位置するページ保持部（図示せず）とを有し、台板１の表面に配置された対象物のページをこの保持部で保持する。通常は支持部材２Ａ、２Ｂを用いて台板１を机等に対して斜めに配置して利用するが、支持部材２Ａ、２Ｂを畳んで、紐Ｓを用いて台板１を吊り下げ、パンフレット等を添付するボードとしても利用可能である。【選択図】        図１
2006102375.tif 000002
【特許請求の範囲】
【請求項１】
台板と台板に設けられたページ保持具とを有する書見台であって、台板表面は開いた書籍や新聞等の対象物を載置する載置面として構成され、台板裏面にはページ保持具が配置され、ページ保持具は台板裏面に配置された支持軸の軸心方向に沿って移動可能に構成され、当該ページ保持具は支持軸により支持されるリールと、このリールに対して巻き戻るよう付勢された板巻きばねと、この板巻きばねの先端に取り付けられたページ圧接部とからなり、ページ圧接部は板巻きばねの弾性により対象物の所定のページを圧接するよう構成したことを特徴とする書見台。
【請求項２】
台板裏面には台板全体を支持する支持部材が配置され、この支持部材は二つの接地部が一定の角度を成して交差するよう側面略三角形に形成され、前記支持軸はこの接地部の一方の側の端部に位置するよう台板裏面の一側に形成され、支持部材の接地面の何れかを選択することにより、斜めに配置された台板の上部側縁側或いは下部側縁側にページ保持具が位置するよう台板の配置状態を選択することが可能に構成されたことを特徴とする請求項１記載の書見台。
【請求項３】
ページ保持具の板巻きばね先端には対象物のページを圧接する保持部が形成され、台板裏面のリールから繰り出された板巻きばねが台板の端縁を越えて台板表面に至り、板巻きばね先端の保持部が対象物のページを圧接するよう構成したことを特徴とする請求項１又は２記載の書見台。
【請求項４】
板巻きばねの先端には連結部材が設けられ、連結部材に形成された挿通孔に対してはこの連結部材とほぼ直交しかつその挿通位置が変更可能なよう押圧部材が挿通配置され、連結部材を介して板巻きばねの弾性が押圧部材に対して対象物のページを押圧する力として作用するよう構成したことを特徴とする請求項１又は２記載の書見台。    
【請求項５】
支持部材は台板裏面側に密着するよう折り畳み可能に構成されたことを特徴とする請求項２乃至４の何れかに記載の書見台。
【請求項６】
台板側縁には、ページ保持具の移動方向に対応する方向において出し入れ可能な補助部材が設けられ、台板をはみ出る対象物の保持をこの補助部材で行うよう構成したことを特徴とする請求項１乃至５の何れかに記載の書見台。
【請求項７】
支持軸には中空が形成され、この支持軸中空部には中空部の内径とほぼ等しい外径を有する補助軸が当該支持軸の軸心方向に対して出し入れ可能に挿入配置され、この補助軸を台板をはみ出る対象物の保持する補助部材として用いるよう構成したことを特徴とする請求項１乃至６の何れかに記載の書見台。
【請求項８】
台板は二つに分割されかつヒンジ等の開閉手段により、展開及び折り畳みが可能に構成され、かつ二つに分割にされた各々の台板部分に支持軸が設けられ、各支持軸に対してそれぞれページ保持具が取り付けられていることを特徴とする請求項１乃至７の何れかに記載の書見台。
【発明の詳細な説明】
【技術分野】
【０００１】
本発明は書見台の構成に係り、特に新聞等の見開きが大面積のものから、辞書等の大冊の書籍まで使用が可能な書見台に関する。
【背景技術】
【０００２】
従来から書見台として多種多様な構成のものが提供されていが、書見台としての共通の構成として、書籍類を載置するための台板、および所定の頁を開いた状態でこの書籍類のページを保持するためのページ保持具とを有している。
【０００３】
この場合、ページ数の多い書籍等を載置する場合には厚手のページを保持するページ保持具が必要となり、かつ重量の大きい書籍が台板から滑り落ちるのを防止するためのストッパ機構を必要とする。
【０００４】
一方書見台を新聞等の薄手ではあるが見開き面積が大きい印刷物に用いるものとして構成すると、新聞を載置するための大型の台板と、新聞紙の各部を保持するために多数のページ保持具を必要とする。
【０００５】
以上の点から書見台は通常、書籍を載置するものに特化されており、新聞等の大面積の印刷物を対象とはしていない。また書籍であっても、辞書のように大冊でかつ大重量のものはこの重量に耐えて書籍が台板から滑り落ちないようにするための特殊な保持機構を必要とし、かつまた少数ページから大ページまでの厚さの異なるページ面を保持するための特殊なページ保持機構を必要とし、例え大冊の書籍の利用が可能であっても書見台全体の機構が複雑化することは否めない。
【０００６】
上述のように書見台としては多種多様の構成が提案されている。このうち下記特許文献に記載された技術は何れもその目的に対して所定の効果を発揮するものではあるが、目的達成のために総じて機構が複雑となり、かつその機構上、対象物は書籍に限定され、然も辞書等の大冊かつ大重量の書籍には対応が困難である。また台板の大きさ等の制約上、新聞等の大面積の印刷物にも対応できない。
【特許文献１】実開平８−１２５８号
【特許文献２】実開平６−７９３２９号
【特許文献３】実用新案登録第３０５８８８４号
【発明の開示】
【発明が解決しようとする課題】
【０００７】
従来の書見台は、利用可能な対象が事実上書籍に限定され、かつその書籍も例えば１０００ページを越える辞書のような大冊かつ大重量の書籍に対応することはできず、例え対応が可能であっても構造が複雑化する。
【課題を解決するための手段】
【０００８】
本発明は上述の従来構成の書見台の問題点を解決すべく構成したものである。
即ち、本発明は書籍或いは新聞等を載置する台板と、板巻きばねにより構成されたページ保持具と、台板を所定の角度で支持する支持部材とを有し、板巻きばね型のページ保持具の本体部分は台板の裏面に配置され、台板裏面に配置された軸体によって支持されることによりこの軸体に沿って台板の左右方向に移動可能に構成され、かつ前記支持部材は、台板を上下逆転して何れの位置においても支持できるよう構成した書見台であることを特徴とする。
【発明の効果】
【０００９】
ページ保持具による対象物の保持位置を自由に選択することが可能となるため、一つの書見台で新聞紙等の薄手ではあるが大面積の印刷物に対しても辞書等の大冊の書籍に対しても利用可能である。
【００１０】
また基本的には台板と対象物を挟持するページ保持具とから構成されるシンプルな構成であるため書見台として安価に提供することができる。
【００１１】
さらに、殆どの印刷物の場合、対象物の頁めくりとめくったページの保持を片手で行うことが可能であり、例えば片手でページめくりを行い、他方の手でメモを取る等、従来の書見台に比較して書見台使用における自由度を高めることができる。
【発明を実施するための最良の形態】
【００１２】
台板と、板巻きばねを用いたページ保持具と、台板を所定の角度でかつ当該台板を上下逆転して何れの位置においても支持できるよう構成した支持部材と、台板裏面に配置されかつページ保持具が軸心方向に移動可能な軸体により部品点数で新聞紙等の大面積の印刷物及び辞書等の大冊の書籍を含めて書籍についても利用可能に構成する。
【実施例１】
【００１３】
以下発明の実施例を図面を参考に説明する。
図１は本発明の第１の実施例を示す図であって、書見台の裏面側を示すものである。
【００１４】
符号１は書見台の本体をなす台板であって、図は台板１の裏面側を示し、後述する書籍や新聞等はこの図１に示す面の反対側である台板１の表面側に配置されるよう構成されている。符号２Ａ、２Ｂは台板１を支持する支持部材であって、図示の状態は台板１に対して直交するよう立設して当該台板１を支持可能にした状態を示している。この支持部材２Ａ、２Ｂは書見台不使用時にはヒンジ３により台板１の裏面側に折り畳めるよう構成されている。
【００１５】
符号１３は各支持部材２Ａ、２Ｂを固定するストッパであって、例えば平面略コの字型に形成し、かつコの字の中央部分を回転軸として図示の矢印のように回動可能に構成するる。このストッパ１３を図示のように台板１に対して直交するよう立設することにより、コの字の対向する直線部直立させて各支持部材２Ａ、２Ｂを立設位置で固定する。また、このストッパを台板１側に倒すことにより直線部の係止状態が解除され、各支持部材２Ａ、２Ｂはフリーとなって、書見台不使用時にはこれら支持部材２Ａ、２Ｂを台板１側に倒すことができるよう構成されている。
【００１６】
またこれら各支持部材２Ａ、２Ｂは、その側縁２Ａａ、２Ａｂ、２Ｂａ、２Ｂｂが何れも接地部となるよう構成されている。即ち各接地部２Ａａ、２Ａｂ及び２Ｂａ、２Ｂｂはそれぞれ一定の角度をもって交わることにより支持部材２Ａ、２Ｂが側面略３角形に形成され、このため各支持部材２Ａ、２Ｂのうち接地部として２Ａａ、２Ｂａを接地させた場合、台板１は端縁１ａを上にして斜めに配置されることになり、逆に２Ａｂ、２Ｂｂを接地させた場合には、台板１は端縁１ｂを上にして斜めに配置されることになる（図  、図  参照）。なお、図示の構成では支持部材２Ａ、２Ｂは板状に形成されているが、上記の機能が達成されるならば、パイプや棒状物を屈曲形成した構成とする等、各種の構成方法法が考えられる。
【００１７】
次に、符号４Ａ、４Ｂはページ保持具（その構成の詳細は後述する）であり、符号５はこのページ保持具４Ａ、４Ｂを支持しかつその軸心方向への移動を許容する支持軸である。また符号６Ａ、６Ｂは台板１の裏面に固定されることによりこの支持軸５を支持する支持体である。
【００１８】
符号７Ａ、７Ｂは台板１の端縁１ｃ、１ｄ内に収納されている補助部材であって、台板１に載置する対象が新聞等の大面積のものである場合、図の左右方向にそれぞれ引出して台板１からはみ出た部分を支持する。なお、図示の構成の補助部材７ａ、７ｂの外、この構成に代えて、或いはこの構成に加えて、釣竿あるいは伸縮可能な棒状アンテナのように支持軸５内に、より小径の軸を挿入配置しておき、必要に応じて収納部分を引き出すことによってこの引出し部分を補助部材として利用するよう構成することも可能である。
【００１９】
図２乃至図４はページ保持具４Ａ、４Ｂ（以下、その配置位置を特定する必要がない場合には符号４で示す）の構成の詳細を示す。
先ず主として図２において、ページ保持具４は、支持軸５に軸支されたリール部４ａと、このリール部４ａに巻きつくように付勢された板巻きばね４ｂとから構成され、板巻きばね４ｂの先端には書籍や新聞等の対象物を保持する保持部４ｃが設けられている。
【００２０】
上記の構成のページ保持具４において、板巻きばね４ｂの先端部は、リール４ａに巻き込むよう付勢された自己の弾性に逆らって台板１の裏面に配置されたリール４ａからその先端部の保持部４ｃが台板１の側縁１ａを越えて当該台板１の表面に位置するよう引き出される。この状態とされることにより板巻きばね４ｂはリール４ａ側に巻き戻ろうとするが、保持部４ｃの摺動抵抗と、板巻きばね４ｂのうちリール４から引き出された部分の弾性は、保持部４ｃを当該保持部４ｃが位置する部分で台板１の表面に圧接する力として結果的に作用する（図３も併せて参照）。
【００２１】
また、保持部４ｃは例えばアクリル等の透明性が高く下の印刷面が透過できるものなどその目的に応じて構成可能である。また図示の構成では保持部４ｃは図（Ｂ）の如く、保持部表面に摘まみ４ｆが形成され、保持部４ｃの操作が容易になるよう構成されている。      
【００２２】
上記保持部４ｃの圧接力により台板１の表面に位置する書籍或いは新聞等の対象物８（図４参照）をこの保持部４ｃと台板１とにより挟持するようにして保持する。以後、対象物８のページをめくるときは対象物の厚さ等により次の二通りの方法がある。
【００２３】
先ず、基本的には対象物８のページをめくる時は、例えばページ保持具４Ａの保持部４ｃによる圧接状態を保持したままページ部分を下に引き抜くようにする。これによりページ保持具４Ａの保持部４ｃは引き抜かれたページの次のページを圧接する。一方引き抜かれたページは他方のページ保持具４Ｂの保持部４ｃに対して当該保持部４ｃの下側から差し込むようにする。このように操作することにより片手だけで頁めくりとめくったページの保持が可能であり、例えば片手でページめくりをし、他方の手でメモを取るなど自由度の高い使用方法が可能である。
【００２４】
しかし、頁数が非常に多い書籍、或いは用紙が薄い場合には各ページの引抜き、差し込み、特に用紙の腰折れによる差し込みが困難となる場合がある。この場合には次の方法によりページをめくる。
【００２５】
すなわち、つまみ４ｆにより保持部４ｃを持ち上げ、対象物８のページをめくったならば保持部４ｃを戻して対象物８に圧接する。この場合、台板１の端縁１ａのうち、少なくとも板巻きばね４ｂが直接接触する隅部をウレタンゴム等の摺動抵抗の大きい材料により覆っておくか、或いは台板の端縁１ａを摺動抵抗の大きな材料により形成しておけば、保持部４ｃが対象物８から離れた時も、リール４側に巻き戻ってしまうのを防止することができる。
【００２６】
また保持部４ｃの圧接位置は板巻きばね４ｂの引出し量によってある程度調整が可能であり、かつまた保持対象が薄くても、或いは辞書のように分厚いものであっても板巻きばね４ｂの引出し量を調節することによりその保持が可能である。また、リール４ａを支持軸５の軸心方向に移動させることにより台板１の所望の位置で対象物を保持することができる。
【００２７】
図５及び図６は上述した書見台の使用状態を示す。
図５は支持部材２Ａ、２Ｂの側縁２Ａａ、２Ｂａを接地部として台板１の１ａ側を上部とするよう斜めに配置した状態を示す。台板１のこの配置状態によりページ保持具４Ａ、４Ｂは図示の如く台板１の上部に位置する状態となる。
【００２８】
図５に示す状態で台板１が配置された構成においては、各ページ保持具４Ａ、４Ｂは台板１に配置された対象物のページ上部を保持する構成となり、この構成は対象物８Ａが新聞や比較的少数ページのグラフ雑誌等に用いるのに好適な配置となる。なお対象物８Ａのページをめくるときは、前述のとおり所定のページの引抜き、及び隣の保持部に対する差し込みを片手で行うが、用紙がインデアンペーバー等のように非常に薄い場合には、符号４ｃ´で示すように保持具４ｃを持ち上げ、ページをめくった後手を放すことにより保持具４ｃは板巻きばね４ｂの弾性により自然に元の位置に戻り、新しいページを保持することになる。
【００２９】
なお、印刷物を載置する台板１の表面は、例えば台板１の表面にポリウレタン製の皮膜を形成する等の方法によりこの印刷物に対する摺動抵抗を大きくして印刷物が滑り落ちるのを防止する加工が施されている。このような表面処理を行っておくことにより、図示される台板１の傾斜角度（約３０度）では、新聞や少数ページの印刷物はもとより、比較的大冊のハードカバーの書籍であっても、例え両方のページ保持具４Ａ、４Ｂによる挟持状態を開放しても、滑り落ちることがないことを発明者等は確認している。
【００３０】
また、この台板１の表面は大面積であり、使用者にとっても最も目に入る部分であるため、この台板１の表面に画像的な処理（例えば風景写真を表示する等）を施すことより書見台としての付加価値を高めたり、或いはこの表面に広告を表示することにより書見台を広告媒体として利用する等の方法が考えられる。広告媒体として利用した場合には、書見台を低額で譲渡したり或いは無償譲渡するなどして広告主の販売促進手段として利用する等の方法も考えられる。
【００３１】
図６は図５に示す場合と台板１を上下逆に配置した場合を示す。
この配置状態では、支持部材２Ａ、２Ｂの側縁２Ａｂ、２Ｂｂを接地部として台板１の１ｂ側を上部とするよう斜めに配置することになる。この結果、ページ保持具４Ａ、４Ｂは図示の如く台板１の下部に位置する状態となる。
【００３２】
この構成は特に辞書等の大冊の書籍に対して有効である。図示の如く大冊の書籍である対象物８Ｂは台板１において、下端縁がほぼ接地するように台板１の下部側に配置される。この状態で台板１の下部に位置する状態のページ保持具４Ａ、４ｂから繰り出された板巻きばね４ｂ先端の保持部４ｃがこの対象物８Ｂの各ページの下部を保持する。
【００３３】
ページ保持具４の板巻きばね４ｂは対象物８Ｂの下部を回り込むようにして先端の保持部４ｃがこの対象物８Ｂのページを押圧する状態となるため、繰り出された板巻きばね４ｂ全体が対象物８Ｂを保持する状態となり、大重量の対象物８Ｂを有効に保持することが可能となる。また、板巻きばね４ｂ全体の長さに対応して板巻きば４ｂの繰り出量は大きく設定できるため、大冊の書籍でもページ保持具４により当該書籍全体及び、書籍の各ページを有効に保持することができる。発明者等は、図６構成において、見開きの両ページの厚さが５０ｍｍ以上の場合、及び同一書籍で見開きの一方のページの厚さが１００ｍｍ以上となり、かつ他方のページはほぼ表紙の厚さに減少した場合でも書籍全体及び見開きの各ページを有効に保持できることを確認している。
【００３４】
以上、書見台を支持部材２Ａ、２Ｂを用いて机の上等に載置して使用する場合を例に説明したが、支持部材２Ａ、２Ｂを折り畳み、この状態で紐Ｓ（図１参照）を用いて書見台全体をつり下げることにより、書見台をメモや折り込み広告等を表示するボードとして利用することも可能である。このような使用方法は、例えば台所において料理のレシピを添付したり、或いは特売品等を表示する折り込み広告等を添付する等、その用途に応じて臨機応変に利用可能である。
【実施例２】
【００３５】
図７及び図８は本発明の第２の実施例であるページ保持具の構成を示す。
このページ保持具４において、板巻きばね４ｂの先端部には連結部材４ｄが設けられている。４ｅはこの連接部材４ｄに形成された挿通穴４ｄｄに挿通することにより、連結部材４ｄとほぼ直交する状態で当該連結部材４ｄに連結する押圧部材である。押圧部材４ｅは対象物８のページを直接押圧するものであるため、前記保持部４ｃのように例えば透明な材料により形成される。
【００３６】
以上の構成とすることにより板巻きばね４ｂ先端の連結部材４ｄは台板１の端縁１ａに密着するよう位置しかつ板巻きばね４ｂの弾性によりリール４ａ側に引き戻されるような力が作用している。この状態で連結部材４ｄに直交する圧接部材４ｅは台板１の表面と並行するよう位置することになり、前記引き戻し力は押圧部材４ｅが台板１の表面に押圧するよう作用することになり、この結果押圧部材４ｅは対象物８の所定のページを押圧することになる。
【００３７】
上記の構成において、押圧部材４ｅは連結部材４ｄに対して図８のＸ１−Ｙ１の如く変位可能であるため、その変位量を調節することにより対象物８に対する接触面積を調節することができる。なお、図示の構成では押圧部材４ｅは板状に構成されているが、針金状等の棒状に形成する等その形状、構成は各種のものが考えられる。                      
【実施例３】
【００３８】
図９は第３の実施例を示す。
この実施例では台板１は１Ａ及び１Ｂに分割され（以下１Ａ、１Ｂを「分割台板」とする）、この分割台板１Ａ及び１Ｂをヒンジ９等の開閉手段により連結して一体的な台板１を構成するよう構成され、これにより、書見台全体が、台板１の表面が対向するようにして折り畳まれるよう構成されている。符号１０は台板の上下側縁に取り付けられたストッパであって、図示のように上下側縁に嵌合することより展開状態の台板を固定し、折り畳み時には矢印のように１８０度反転させて、嵌合状態を解除するよう構成されている。
【００３９】
本実施例においては、折り畳みを可能とするため台板１の外、各ページ保持具４Ａ、４Ｂを支持する支持軸も５Ａ、５Ｂに分割されて分割台板１Ａ、１Ｂの裏面にそれぞれ取り付けられる構造となっていてる。符号６は各支持軸５Ａ、５Ｂを支持する支持体であり、図１に示す構成のものと基本的には同一の構成のものである。
【００４０】
以上各実施例において書見台は符号４Ａ、４Ｂで示すように一対のページ保持具を有する構成となっているが、書見台に対するページ保持具の設置個数はこれに限定されるものではなく、４Ａ、４Ｂのほぼ中央に第三のページ保持具を配置したり、或いは片方のページに対してそれぞれ二つのページ保持具を配置する等、その設置個数或いは設置位置は自由に設定することが可能である。特に４Ａ、４Ｂのほぼ中央に第三のページ保持具を配置する構成として中央のページ保持具を新聞の折り目部分に配置するよう構成すると、大面積の新聞を容易に展開保持する事が可能となる。
【産業上の利用可能性】
【００４１】
読書や新聞等の閲覧等の書見台としての本来の機能の外、台板の表面部分に各種画像表示をすることにより例えば書見台として使用しない時に風景画像等を表示するインテリアパネルとして利用したり、或いは広告を表示することにより書見台を広告主の販売促進用品として利用する等の利用方法も考えられる。
【００４２】
また、保持対象は書籍等の印刷物に限らず、ノート型パソコン、薄型の液晶テレビ、電子辞書等の電子的ディスプレイを有する装置、器具等であってもよく、これらの器具・装置を保持台する保持台とて機能させることもできる。
【図面の簡単な説明】
【００４３】
【図１】本発明の第１の実施例を示す書見台の裏面を示す斜視図である。
【図２】（Ａ）は図１に示すページ保持具の斜視図、（Ｂ）は同（Ａ）に示す保持部を台板表面側から見た斜視図である。
【図３】図２（Ａ）のＡ−Ａ線による断面図である。
【図４】（Ａ）は台板の表面側に位置する板巻きばね及び保持部の正面図、（Ｂ）は同図（Ａ）のＢ−Ｂ線による断面図である。
【図５】支持部材を用いてページ保持具が台板の上部に位置する状態で当該台板を水平面に配置した状態を示す書見台の側面図である。
【図６】図５に示す状態と逆にページ保持具が台板の下部に位置するよう台板を配置した状態の側面図（図５と逆側から見た側面）である。
【図７】本発明の第３の実施例を示すページ保持具の斜視部分図である。
【図８】図７のＣ−Ｃ線による断面図である。
【図９】本発明の第３の実施例を示す書見台の裏面を示す斜視図である。
【符号の説明】
【００４４】
１  台板
１Ａ、１Ｂ  分割台板
１ａ、１ｂ  台板の側縁
２、２Ａ、２Ｂ  支持部材
２Ａａ、２Ｂａ  支持部材２Ａ、２Ｂの一方の接地部
２Ａｂ、２Ｂｂ  支持部材２Ａ、２Ｂの他方の接地部
４、４Ａ、４Ｂ  ページ保持具
４ａ  リール
４ｂ  板巻きばね
４ｃ  保持部
４ｄ  連結部材
４ｅ  押圧部材
５、５Ａ、５Ｂ  支持軸
７Ａ、７Ｂ  補助部材
８  対象物（書籍、新聞等）
９  ヒンジ
１０  ストッパ
【図１】
2006102375.tif 000003
【図２】
2006102375.tif 000004
【図３】
2006102375.tif 000005
【図４】
2006102375.tif 000006
【図５】
2006102375.tif 000007
【図６】
2006102375.tif 000008
【図７】
2006102375.tif 000009
【図８】
2006102375.tif 000010
【図９】
2006102375.tif 000011